(57)【特許請求の範囲】
【請求項１】
筐体と、
前記筐体内に設けられた光源と、
前記筐体の一主面上に設けられた干渉型のフィルタと、
を有し、
前記フィルタは周期的に並べられたＮ（Ｎは自然数）種類の膜を有し、
隣り合う前記膜同士は一部が重なるように設けられており、
前記膜は種類ごとに一定の波長範囲の光を透過し他の波長範囲の光を反射する膜であり、
前記膜のうち隣の前記膜と重ならない部分の面積の総和は、前記フィルタが設けられた一主面の面積に対して８×Ｎ％以上１５×Ｎ％以下であるバックライト。
【請求項２】
１対の基板と、前記１対の基板の間に保持された液晶層と、を有する液晶パネルと、
筐体と、前記筐体内に設けられた光源と、前記筐体の一主面上に設けられ、前記液晶パネルと対向する干渉型のフィルタと、を有するバックライトと、
を備え、
前記フィルタは周期的に並べられたＮ（Ｎは自然数）種類の膜を有し、
隣り合う前記膜同士は一部が重なるように設けられており、
前記膜は種類ごとに一定の波長範囲の光を透過し他の波長範囲の光を反射する膜であり、
前記膜のうち隣の前記膜と重ならない部分の面積の総和は、前記フィルタが設けられた
前記筐体の一主面の面積に対して８×Ｎ％以上１５×Ｎ％以下である液晶表示装置。
【発明の詳細な説明】
【技術分野】
【０００１】
本発明の実施形態は、バックライト、および液晶表示装置に関する。
【背景技術】
【０００２】
近年、パーソナルコンピュータのディスプレイや小型テレビの表示装置として、液晶表示装置等の薄型軽量の表示装置が多く用いられるようになってきた。特に、液晶表示装置が携帯用コンピュータや携帯用テレビ等の携帯用機器に用いられる場合には、電源が電池となることから、低消費電力化を図る必要がある。
【０００３】
透過型の液晶表示装置には液晶パネルの背面にバックライトが設けられているが、バックライトの消費電力を小さくすることは、液晶表示装置の低消費電力化に貢献する。
【先行技術文献】
【特許文献】
【０００４】
【特許文献１】米国特許第４９２４３５６号
【発明の概要】
【発明が解決しようとする課題】
【０００５】
発明が解決しようとする課題は、バックライト、および液晶表示装置の輝度ムラを少なくすることにある。
【課題を解決するための手段】
【０００６】
上記課題を達成するため、実施形態のバックライトは、筐体と、前記筐体内に設けられた光源と、前記筐体の一主面上に設けられた干渉型のフィルタと、を有し、前記フィルタは周期的に並べられたＮ（Ｎは自然数）種類の膜を有し、隣り合う前記膜同士は一部が重なるように設けられており、前記膜は種類ごとに一定の波長範囲の光を透過し他の波長範囲の光を反射する膜であり、前記膜のうち隣の前記膜と重ならない部分の面積の総和は、前記フィルタが設けられた一主面の面積に対して８×Ｎ％以上１５×Ｎ％以下である。
【図面の簡単な説明】
【０００７】
【図１】第１の実施形態に係る液晶表示装置を示す断面図。
【図２（ａ）】第１の実施形態に係るバックライトを示す斜視図。
【図２（ｂ）】第１の実施形態に係るバックライトを示す斜視図。
【図２（ｃ）】第１の実施形態に係るバックライトを示す斜視図。
【図３】第１の実施形態に係る液晶パネルの断面を示す図。
【図４】第１の実施形態に係る液晶表示装置内の光路の一例を示す図。
【図５】第１の実施形態に係る開口率と光取り出し効率の関係を示す図。
【図６】第１の実施形態に係る開口率と光取り出し効率の関係を示す図。
【図７】第１の実施形態に係る筐体の内壁面の反射率と、取り出される光のうち間接光の割合が最大となる開口率の関係を示す図。
【図８】第２の実施形態に係るバックライトを示す斜視図。
【図９】第２の実施形態に係るバックライトの上面を示す断面拡大図。
【図１０】第２の実施形態に係る干渉フィルタの透過率と反射率を示す図。
【図１１】第２の実施形態に係る干渉フィルタの赤色透過膜と緑色透過膜の重なり部分を示す断面拡大図。
【図１２】比較例のバックライトの上面断面を示す図。
【発明を実施するための形態】
【０００８】
（第１の実施形態）  
バックライトを備えた液晶表示装置について、図１を使って説明する。図１はカラー画像を表示することができる表示装置の一断面を示す図である。
【０００９】
液晶表示装置１は、画像などを表示するための液晶パネル１００と、液晶パネル１００と対向し、複数のレンズを有するレンズアレイ１８と、レンズアレイ１８と対向するバックライト１０とを備える。    
液晶パネル１００は、マトリクス状に多数の画素電極が配置されたアレイ基板１０２と、アレイ基板１０２に対向する対向基板１０５と、アレイ基板１０２及び対向基板１０５との間に保持される液晶層１０１と、を備える。
【００１０】
レンズアレイ１８は、バックライト１０からの光を液晶パネル１００の各画素に集光するもので、各レンズは半円柱状の断面を有し、液晶パネル１００側に突出するように複数並べられている。
【００１１】
バックライト１０は、中空の筐体１４と、筐体１４の下壁面の内側に設けられたＬＥＤなどの光源１５を有する。筐体１４のレンズアレイ１８と対向する上壁面には、複数の開口１７がそれぞれレンズアレイ１９の各レンズと対応するように配置している。これらの開口１７は、複数の光非吸収型（反射型）の干渉フィルタ２０で覆われている。
【００１２】
図２（a）、（b）は、バックライトの斜視図である。図２（a）、（ｂ）に示すように、筐体１４の開口１７は、行方向および列方向に並べて複数配置されている。図２（a）は開口が円形の場合を示しており、図２（b）は開口がスリットの場合を示している。または図２（ｃ）に示すように、開口１７は、干渉フィルタ２０の連続する方向に沿ったスリット状に形成されていても良い。
【００１３】
筐体１４の内壁は、高反射率の材料で形成されている。筐体１４の材料としては、ステンレスなどの金属や樹脂などが使用でき、その内壁面をアルミニウムや銀などで形成することができる。例えば、アルミニウムや銀を内壁面に蒸着したり、アルミニウムや銀を蒸着したシートを内壁面に貼り付けたりすることができる。開口１７は、射出成型、プレス加工、レーザー加工、エッチングなどの方法で形成できる。
【００１４】
干渉フィルタ２０は波長選択性の赤色干渉フィルタ２０Ｒと緑色干渉フィルタ２０Ｇと青色干渉フィルタ２０Ｂとから構成される。赤色干渉フィルタ２０Ｒは赤色の光を透過し、緑色と青色の光を反射する。緑色干渉フィルタ２０Ｇは緑色の光を透過し、青色と赤色の光を反射する。青色干渉フィルタ２０Ｂは青色の光を透過し、赤色と緑色の光を反射する。各干渉フィルタ２０は、誘電体多層膜から形成されており、屈折率の異なる誘電体薄膜を積層して形成されている。誘電体多層膜の厚さによって、一定の波長の光が透過され、その他の波長の光は反射される。
【００１５】
例えば、誘電体多層膜は高屈折材料の層と低屈折材料の層を交互に積層して形成されている。代表的な高屈折材料としては、ＴｉＯ２，Ｔａ２Ｏ３，ＺｎＯ２，ＺｎＳ，ＺｒＯ２，ＣｅＯ２，Ｓｂ２Ｓ３などがある。また代表的な低屈折材料としては、ＳｉＯ２，ＭｇＦ２，Ｎａ３ＡｌＦ６などがある。
【００１６】
レンズアレイ１８のレンズは、一列あるいは一行に並べられた開口１７につき１つずつ配列されている。
【００１７】
図３は、液晶パネル１００の断面を示す拡大図である。アレイ基板１０２の液晶層１０１を保持する一主面には複数の画素電極１０４、および例えば薄膜トランジスタ（ＴＦＴ）などの能動素子１０３が設けられている。対向基板１０５の液晶層１０１を保持する一主面には対向電極１０６、および吸収型のカラーフィルタ１０７Ｒ、１０７Ｇ、１０７Ｂが設けられている。なお、実際の液晶パネル１００にはアレイ基板１０２と対向基板１０５の外面に偏光板が配設されているが、図３においては省略する。
【００１８】
カラーフィルタ１０７Ｒ、１０７Ｇ、１０７Ｂは、赤色の光を透過するカラーフィルタ１０７Ｒと、緑色の光を透過するカラーフィルタ１０７Ｇと、青色の光を透過するカラーフィルタ１０７Ｂと、から構成される。各カラーフィルタ１０７Ｒ、１０７Ｇ、１０７Ｂは各画素電極１０４と対向して配置されている。さらに、赤色カラーフィルタ１０７Ｒは赤色干渉フィルタ２０Ｒ上に設けられており、緑色カラーフィルタ１０７Ｇは緑色干渉フィルタ２０Ｇ上に設けられており、青色カラーフィルタ１０７Ｂは青色干渉フィルタ２０Ｂ上に設けられている。３色のカラーフィルタ１０７Ｒ、１０７Ｇ、１０７Ｂ１組で１画素が形成される。なおカラーフィルタ１０７は必ずしも必要なものではなく、あくまでも干渉フィルタ２０の補助的な働きをするものである。
【００１９】
図４は、液晶表示装置の断面において、開口１７から取り出される光の進路の一例を示す図である。
【００２０】
バックライト１０の光源１５が放出する光の一部は、開口部１７および各色の干渉フィルタ２０を通過してバックライト１０の外側に出る（直接光）。光源１５が放出する光の他の一部は、干渉フィルタ２０または筐体１４の内壁面で反射されるが、筐体１４の内で反射を繰り返した後に開口１７およびその光の色を透過する干渉フィルタ２０を通過してバックライト１０の外側に出る（多重反射光）。バックライト１０から出た直接光および多重反射光は、例えば赤色干渉フィルタ２０Ｒを通過し、赤色干渉フィルタ２０Ｒの直上に位置するレンズで集光される。集光された光は、液晶層１０１付近で結像する。この像の大きさはカラーフィルタ１０７Ｒの範囲を超えない様に、焦点距離は制限されている。レンズによって結ばれる像の大きさが赤色カラーフィルタ１０７Ｒの大きさよりも大きい場合には、隣のカラーフィルタ１０７Ｇ、１０７Ｂ側にはみ出た光はそのカラーフィルタ１０７Ｇ、１０７Ｂに吸収されるため、ロスになる。その後、結像された光は、赤色カラーフィルタ１０７Ｒを通過し、対向基板１０５を通過して、表示パネル１００の外へ出る。
【００２１】
緑色干渉フィルタ２０Ｇ、青色干渉フィルタ２０Ｂを通過したそれぞれの光も、同様に、それぞれの直上に配置するレンズアレイ１８のレンズで集光され、液晶層１０１付近で結像される。結像された光は、緑色カラーフィルタ１０７Ｇあるいは青色カラーフィルタ１０７Ｂを通過し、対向基板１０５を通過した後、表示パネル１００の外へ出る。
【００２２】
ここで、筐体１４内壁面の開口率と、開口部１７からバックライト１０の外部に取り出される光の光取出し効率ηtの関係を図５に示す。図５の横軸は開口率を表し、縦軸は光取出し効率ηtを表し、筐体１４内壁面の反射率が８５％、９０％、９５％、９８％、９９％それぞれの場合について示す。開口率は、バックライト１０の開口１７の総面積を、バックライト１０の上面面積で割った値である。なお、バックライト１０の上面面積は、開口１７の面積を含む。光取出し効率ηtは、開口部１７から取り出された光の総量を、バックライト１０の上面（開口１７が設けられた一面）をはずした状態で上面から出てくる光の総量で割った値である。なお、開口部１７から取り出された光の総量も、バックライト１０の上面をはずした状態で上面から出てくる光の総量も、干渉フィルタ２０が設けられていない場合の値である。
【００２３】
光取出し効率ηtは、筐体１４の内壁面の反射率が高いほど、また開口部１７の開口率が高いほど大きくなることがわかる。
【００２４】
今回この光取り出し効率ηtの内訳を詳しく調べることにより幾つかの新たな知見が得られたので以下に述べる。図６は、光取り出し効率ηtと、直接光の取り出し効率ηｄと、多重反射光の取り出し効率ηiと、多重反射光の取り出し効率と直接光の取り出し効率の差ηi−ηｄそれぞれと、開口率の関係を示している。
【００２５】
直接光の光取り出し効率ηｄは、開口部１７から取り出された直接光の総量を、バックライト１０の上面（開口１７が設けられた一面）をはずした状態で上面から出てくる光の総量で割った値である。多重反射光の取り出し効率ηiは、開口部１７から取り出された多重反射光の総量を、バックライト１０の上面をはずした状態で上面から出てくる光の総量で割った値である。図６(a)は筐体１４の内壁面反射率が９９％の場合、図６(b)は９８％の場合、図６(c)は９５％の場合、図６(d)は９０％の場合を示している。
【００２６】
直接光の取り出し効率ηｄは、開口率に依存して直線状に増加している。また、直接光の取り出し効率ηｄは、筐体１４の内壁面反射率の影響を受けず、いずれの反射率においてもほぼ同じ値である。
【００２７】
多重反射光の効率ηiは開口率が一定の値にあるときに最大となり、そのときの開口率よりも大きい開口率になると、多重反射光の効率ηiは少なくなる。また、多重反射光の効率ηiは、筐体１４の内壁面の反射率が大きいほど大きくなる。従って、筐体１４の内壁面反射率が高いほど全体の光取り出し効率ηtが高くなるのは、多重反射光の取り出し効率ηiが増加しているためであることがわかる。
【００２８】
また、開口率が大きい場合には光取り出し効率ηtが高くなるが、その内訳は、直接光の光取り出し効率ηｄが多く多重反射光の光取り出し効率ηiは少ない。光源１５が筐体１４の内壁面にまばらに設けられている場合には、光源１５に近い位置にある開口１７から出てくる直接光の量は多く、光源１５から遠い位置にある開口から出てくる直接光の量は小さい。一方、多重反射光は、光源１５の配置の仕方によらず、いずれの開口１７からもほぼ均一の量で出てくる。従って、多重反射光よりも直接光の割合の方が多い場合には、光源１５の分布に起因するバックライト１０の輝度ムラが生じやすい。そこで、開口１７から取り出される光に多重反射光の割合が多くなるように、開口率を設定すると輝度ムラを防ぐことができる。
【００２９】
直接光と多重反射光の取り出し効率の差ηi−ηｄは、筐体１４の内壁面の反射率がいずれの場合においても、開口率の増加とともに増加するが、最大値を迎えた後やがて減少する。直接光と多重反射光の取り出し効率の差ηi−ηｄが最大となる場合、開口１７から取り出される光のうち多重反射光の割合が最も多くなる。
【００３０】
この直接光と多重反射光の取り出し効率の差ηi−ηｄが最大となる時の開口率の値は、筐体１４の内壁面反射率の値によって異なる。図７に、筐体１４の内壁面反射率（横軸）と、多重反射光の取り出し効率の差ηi−ηｄがピークとなる時の開口率の値（縦軸）との関係を示す。
【００３１】
筐体１４の内壁面反射率が８６％以上９９％以内の範囲内にある場合には、直接光と多重反射光の取り出し効率の差ηi−ηｄがピークとなる時の開口率は８％〜１５％程度の範囲内にあることがわかった。すなわち、バックライト１０の開口率を８％〜１５％の範囲内に制限することにより、バックライト１０からの光に含まれる多重反射光の割合を多くし直接光を少なくすることができるので、輝度のムラを少なくすることができる。
【００３２】
上述の開口率の最適範囲８％〜１５％は、干渉フィルタ２０を設けていないバックライト１０を使って求めたものである。すなわち、開口と液晶パネルとの間に何も設けられていないか、波長選択性の部材が設けられていない場合には開口率は、８％〜１５％に設計する。開口上に３色の干渉フィルタ２０を設ける場合には、１つの干渉フィルタ２０を通過するのは光源１５の光の３分の１であるため、開口率は上述の最適範囲の３倍に設計する。すなわち、バックライトの開口率は２４％以上４５％以内に設計する。あるいは、Ｎ色の干渉フィルタを設ける場合には、開口率は８×Ｎ％以上１５×Ｎ％以内に設計する。なおＮは自然数である。
【００３３】
なお、上述の液晶表示装置１は、バックライト１０の干渉フィルタ２０は、設けられていなくても輝度ムラを抑える効果はある。しかしながら、干渉フィルタ２０によって、液晶パネル１００のカラーフィルタ１０７Ｒ、１０７Ｇ、１０７Ｂを透過しない色の光は筐体内１４に戻され、カラーフィルタ１０７Ｒ、１０７Ｇ、１０７Ｂが透過する色の光のみを干渉フィルタ２０で通すので、光源１５の光がバックライト１０を出た後に、カラーフィルタ１０７Ｒ、１０７Ｇ、１０７Ｂに吸収される分のロスを減らすことができる。
【００３４】
本実施形態は例示であり、発明の範囲は本実施形態に限定されない。
【００３５】
（第２の実施形態）
非吸収型のカラーフィルタ（干渉フィルタ）は、各色のフィルタが透過しない色の光を筐体内に反射し光をリサイクルするので、吸収型のカラーフィルタを使用する場合に比べてバックライトの消費電力を低減できる。
【００３６】
本実施例においては、バックライトに設けられた３色の干渉フィルタについて説明する。バックライトの干渉フィルタが設けられた一主面には、光透過性の基板と干渉フィルタが設けられており、開口は設けられていない。干渉フィルタには一定の波長の光を透過する部分と可視光領域すべての波長の光を反射する部分とがあり、光を透過する部分を開口に見立てて、開口率２４％以上４５％以内の範囲内に設計されている。
【００３７】
バックライトの干渉フィルタが設けられた一主面以外については第１の実施例と同じであるので、詳細な説明は省略する。
【００３８】
図８はバックライト１１０の斜視図である。図９はバックライト１１０のレンズアレイ側の一主面（上面）の断面を示した図と、バックライト１１０上に設けられた干渉フィルタ１２０の上面図である。上面１１６は、例えばガラスなどの透明な基板１３０と、その上に形成された干渉フィルタ１２０とから構成されている。
【００３９】
干渉フィルタ１２０は、誘電体の膜を積層して形成された３種類の膜（赤色透過膜１２１Ｒ、緑色透過膜１２１Ｇ、青色透過膜１２１Ｂ）とから構成される。高屈折率層にＴiＯ２、低屈折率層にＳｉＯ２を使用してそれぞれの色の干渉フィルタを作製する一例を示す。赤色透過膜１２１Ｒは、１／４波長膜を基本単位とすると、低屈折率層の１／８波長膜の上に高屈折率層の１／４波長膜と低屈折率層の１／４波長膜を複数交互に積層させ、最上層に低屈折率層の１／８波長膜を設ける。
【００４０】
なお、層数が多くなるほど、赤色の光の透過性が高く他の色の非透過性が高い、特性の優れた干渉フィルタを作製できる。具体的にはＴiＯ２層の１／４波長膜の厚さは５０ｎｍ、ＳｉＯ２層の１／４波長膜の厚さは８４ｎｍで赤色透過膜１２１Ｒを作ることができる。緑色透過膜１２１Ｇについては、例えば、６１．５ｎｍのＳｉＯ２層の上に、７２ｎｍのＴiＯ２層と１２３ｎｍのＳｉＯ２層を複数積層させ、６１．５ｎｍのＳｉＯ２層を設けた上に、２１ｎｍのはＴiＯ２層を設け、７２ｎｍのＳｉＯ２層とＴiＯ２層を複数背気相させた上に２１ｎｍのはＴiＯ２層を設ける。
【００４１】
青色透過膜１２１Ｂに関しては、例えば、３０ｎｍのＴiＯ２層の上に１０４ｎｍのＳｉＯ２層と６０ｎｍのＴiＯ２層を複数積層させた上に３０ｎｍのＴiＯ２層を設ける。
【００４２】
赤色透過膜１２１Ｒは赤色の光を透過し、可視光領域の他の色の光を反射する。緑色透過膜１２１Ｇは緑色の光を透過し、可視光領域の他の色の光を反射する。青色部分１２１Ｂは青色の光を透過し、可視光領域の他の色の光を反射する。
【００４３】
赤色透過膜１２１Ｒ、緑色透過膜１２１Ｇ、青色透過膜１２１Ｂは周期的に並べられており、隣り合う膜同士は一部重なり合う。２つの膜１２１Ｒ、１２１Ｇ、１２１Ｂが重なり合った部分は可視光領域の全ての波長の光が反射される（反射部分１２０Ｐ）。
【００４４】
赤色透過膜１２１Ｒの他の膜１２１Ｇ、１２１Ｂと重ならない部分（赤色部分１２０Ｒ）においては、赤色の光が透過する。同様に、緑色透過膜１２１Ｇの他の膜１２１Ｒ、１２１Ｂと重ならない部分（緑色部分１２０Ｇ）においては、緑色の光が透過する。青色透過膜１２１Ｂの他の膜１２１Ｒ、１２１Ｇと重ならない部分（青色部分１２０Ｂ）においては、青色の光が透過する。
【００４５】
すなわち、赤色部分１２０Ｒと緑色部分１２０Ｇと青色部分１２０Ｂとは周期的に並べられており、それぞれの間には反射部分１２０Ｐが設けられている。赤色部分１２０Ｒ、緑色部分１２０Ｇ、青色部分１２０Ｂを光が透過するので、これらの部分を開口とみなすことができる。本実施形態においては赤色部分１２０Ｒ、緑色部分１２０Ｇ，青色部分１２０Ｂそれぞれの面積を、バックライト１１０の上面の面積に対して８％以上１５％以内の範囲内に設計する。すなわち、開口とみなされる赤色部分１２０Ｒ、緑色部分１２０Ｇ，青色部分１２０Ｂを合わせた面積を、バックライト１１０の上面の面積に対して２４％以上４５％以内の範囲内に設計する。
【００４６】
赤色部分１２０Ｒと緑色部分１２０Ｇとに挟まれた反射部分１２０Ｐは、赤色透過膜１２１Ｒと緑色透過膜１２１Ｇが重ねられて形成されている。図１０を用いて、２種類の膜が重なった部分がいずれの色の光も反射する理由を説明する。図１０(a)は、赤色透過膜１２１Ｒ、緑色透過膜１２１Ｇ、青色透過膜１２１Ｂそれぞれが透過する光のスペクトルの一例を示す図である。図１０(b)は、赤色透過膜１２１Ｒ、緑色透過膜１２１Ｇ、青色透過膜１２１Ｂが反射する光のスペクトルの一例を示す図である。
【００４７】
例えば、赤色透過膜１２１Ｒは、赤色の光を透過するが、その他の波長の光を反射する。同様に、緑色透過膜１２１Ｇは緑色の光を透過して、その他の波長の光を反射し、青色透過膜１２１Ｂは青色の光を透過し、その他の波長の光を反射する。
【００４８】
図１１は、赤色透過膜１２１Ｒの上に緑色透過膜１２１Ｇの一部が重なった部分を示す図である。赤色透過膜１２１Ｒの下側から光源の光が来る場合、赤色透過膜１２１Ｒにより青と緑の光は反射されて、赤色の光だけが透過する。しかしながら、赤色の光は緑色透過膜１２１Ｇによって反射され、再び赤色透過膜１２１Ｒを透過して光源側に戻る。このように、反射部分１２０Ｐではどの色の光も反射される。
【００４９】
図９に示すような干渉フィルタ１２０を作成する方法としては、例えばフォトリソグラフィー技術を用いる方法がある。具体的には、ガラス製の透明基板１３０上に赤色の光を透過し他の色の光を反射するように設計された膜を一定間隔ごとに形成する。続いて緑色の光を透過し他の色の光を反射するように設計された膜を、一部が赤色の光を透過する膜に重なるようにして、一定間隔ごとに形成する。このとき、基板１３０上には、赤色の光を透過する膜も緑色の光を透過する膜も設けられていない部分が残されている。続いて、この未だ膜に覆われていない部分を覆うように、且つ一部が赤色の光を透過する膜と重なり、他の一部が緑色の光を透過する膜と重なるように、青色の光を透過し他の色の光を反射する膜を設ける。このようにして干渉フィルタ１２０を得ることができる。
【００５０】
ここでは赤色透過膜１２１Ｒの上に緑色透過膜１２１Ｇが重ねられている反射部分１２０Ｐを例示したが、いずれの反射部分１２０Ｐにおいても可視光領域の波長の光は反射される。
【００５１】
反射部分１２０Ｐを、２種類の多層膜を重ねて形成することとしたが、その代わりに、いずれの色の光も反射する多層膜を新たに形成して反射部分１２０Ｐを形成しても良い。しかし、２種類の多層膜を重ねて反射部分１２０Ｐを形成する場合には、新たに反射部分１２０Ｐ用の膜を形成する場合よりも製造工程を少なくすることができる。
【００５２】
このように、バックライト１１０の干渉フィルタ１２０は、光が透過する部分が２４％以上４５％以内の範囲内に設計されているので、第１の実施形態と同様に輝度ムラを防止することができる。
【００５３】
さらに、本実施形態のような干渉フィルタ１２０を用いたバックライト１１０は、穴を開けて開口を形成したバックライトよりも光取り出し効率が高くなる場合がある。筐体に穴を開けて形成された開口の幅が大きい場合と小さい場合について、図１２を使って比較する。図１２は、開口２１７の幅が大きい場合（a）と開口２２７の幅が小さい場合（b）のバックライトの上面の断面を示す図である。開口の上には３色の干渉フィルタ１４０Ｒ、１４０Ｇ，１４０Ｂが設けられている。液晶パネルの解像度が高いほど、バックライト２００の開口の幅が小さくなる。
【００５４】
光源の光は開口２１７、２２７を通ってバックライトの外に出るが、開口に進入する光のうちには、開口の壁面２１７a、２２７aで反射したり拡散されたりして進路を変更する光がある。
【００５５】
バックライトの上面２１４、２２４の厚みｄに比べて開口の幅が小さい場合には、開口２２７に進入する光のうち、開口の壁面２２７aで反射したり拡散されたりして進路を変更する光（ロス）の割合が多くなる。したがって、光の指向性が失われたり光取出し効率が低くなったりする虞がある。
【００５６】
しかしながら、本実施形態のように干渉フィルタを設ける場合には、光が透過する部分の面積を小さくすることによるこのようなロスは生じないので、高精細な液晶パネルに適用する場合でも光取り出し効率が低くならない。
【００５７】
なお、バックライトの内壁面はアルミニウムや銀で形成することとしたが、誘電体多層膜をバックライトの内壁面に設けても良い。例えば、干渉フィルタと同様に、高屈折率と低屈折率の誘電体材料を交互に積層する。可視光領域の波長の光を反射するように、赤外域や紫外域を透過させ可視領域の波長の光は反射する様にすする。一例として、高屈折率層にＴiＯ２、低屈折率層にＳｉＯ２を使用する場合には、筐体の内壁面に４５ｎｍのＳｉＯ層を設け、その上に、５２．５ｎｍのＴiＯ２層と９０ｎｍのＳｉＯ２層を複数積層し、その上に４５ｎｍのＳｉＯ２層を設ける。
【００５８】
本実施形態は例示であり、発明の範囲は本実施形態に限定されない。
【符号の説明】
【００５９】
１０、１１０  バックライト装置
１３  反射シート
１４  筐体
１５  光源  
１７  開口
１８  レンズアレイ
２０、２０Ｒ、２０Ｇ、２０Ｂ  干渉フィルタ
１００  表示パネル
１０１  液晶層
１０２  アレイ基板
１０３  能動素子
１０４  画素電極
１０５  対向基板
１０６  対向電極
１０７Ｒ、１０７Ｇ、１０７Ｂ  カラーフィルタ
１２０  干渉フィルタ
１２１Ｒ  赤色透過膜
１２１Ｇ  緑色透過膜
１２１Ｂ  青色透過膜
１３０  基板
１４０Ｒ、１４０Ｇ、１４０Ｇ  干渉フィルタ
２１４、２２４  バックライトの上面
２１７、２２７  開口
２１７a、２２７a  開口の壁面
【図１】
0005341836.tif 000002
【図２（ａ）】
0005341836.tif 000003
【図２（ｂ）】
0005341836.tif 000004
【図２（ｃ）】
0005341836.tif 000005
【図３】
0005341836.tif 000006
【図４】
0005341836.tif 000007
【図５】
0005341836.tif 000008
【図６】
0005341836.tif 000009
【図７】
0005341836.tif 000010
【図８】
0005341836.tif 000011
【図９】
0005341836.tif 000012
【図１０】
0005341836.tif 000013
【図１１】
0005341836.tif 000014
【図１２】
0005341836.tif 000015